(57)【要約】【課題】乳房をアップしながら集中する効果を図る優れた支持効果を有するブラジャーのカップを提供する。【解決手段】優れた支持効果を有するブラジャーのカップは、外層１と内層２を備え、熱圧成形で外層１と内層２を湾曲状に一体化させることにより、乳房を収容可能な収容空間３が形成される。又、該収容空間３における外層１と内層２の下縁付近の間に充填材４が設けられることにより、該収容空間３に乳房を支持可能な突出部が形成されることが可能である。【選択図】図１
0003151734.tif 000002
【実用新案登録請求の範囲】
【請求項１】
外層と内層を備える優れた支持効果を有するブラジャーのカップであって、熱圧成形で外層と内層を湾曲状に一体化させることにより、乳房を収容可能な収容空間が形成され、該収容空間における外層と内層の下縁付近の間に充填材が設けられることにより、該収容空間に乳房を支持可能な突出部が形成されることを特徴とするブラジャーのカップ。
【請求項２】
前記充填材は、充填物と、該充填物の外側に設けられるカバー層とを有し、該充填物は、二枚のフィルムを高熱と高圧で周縁を封止することにより、袋体を形成し、該カバー層は、耐熱性の網状シートであることを特徴とする請求項１に記載のブラジャーのカップ。
【請求項３】
前記外層は、弾性力を有する表面生地と熱変形可能な材質の繊維体とからなることを特徴とする請求項２に記載のブラジャーのカップ。
【請求項４】
前記内層は、弾性力を有する表面生地と熱変形可能な材質の繊維体とからなり、該内層の繊維体と外層の繊維体とが互いに粘着されることを特徴とする請求項３に記載のブラジャーのカップ。
【請求項５】
前記充填物に油脂が充填されることを特徴とする請求項２に記載のブラジャーのカップ。
【請求項６】
前記充填物に気体が充填されることを特徴とする請求項２に記載のブラジャーのカップ。
【請求項７】
前記充填物にゲルが充填されることを特徴とする請求項２に記載のブラジャーのカップ。
【請求項８】
前記カバー層は、該充填物と外層との間に設けられることを特徴とする請求項２に記載のブラジャーのカップ。
【請求項９】
前記カバー層は、該充填物と内層との間に設けられることを特徴とする請求項２に記載のブラジャーのカップ。
【請求項１０】
前記カバー層は、該充填物を完全に包覆することを特徴とする請求項２に記載のブラジャーのカップ。
【考案の詳細な説明】
【技術分野】
【０００１】
本考案は、特に充填物が設けられることにより、乳房をアップしながら集中する効果を図る優れた支持効果を有するブラジャーのカップに関するものである。
【背景技術】
【０００２】
経済の発展に伴い、女性はブラジャーを選ぶ時に、単に胸を保護すると共に、乳房を変形させない効果に注目しなく、自らの胸形を更に美しく、着用の快適性を更に向上する効果に追求するものである。又、一般のブラジャーは、よく使用されているため、特に特許文献には記載されていない。
【０００３】
又、市販で乳房をアップしながら集中する効果を有するブラジャーは、例えばパットを付加することで乳房をアップしながら集中する効果を図る。該パットの内部には、水やシリコンや油脂などの物質を充填し、このパットをブラジャーのカップの内側に設置することにより、胸形の調整を図ることができる。
【考案の概要】
【考案が解決しようとする課題】
【０００４】
しかしながら、前記パットの設置不良や、カップから落ち出す場合、その胸形が逆に変形する又は悪外観を与える恐れがあるので、更に改良する必要がある。
【０００５】
そこで、案出されたのが本考案であって、乳房をアップしながら集中する効果を図る優れた支持効果を有するブラジャーのカップを提供することを目的としている。
【課題を解決するための手段】
【０００６】
請求項１に記載の考案によると、外層と内層を備えるブラジャーのカップであって、熱圧成形で外層と内層を湾曲状に一体化させることにより、乳房を収容可能な収容空間が形成され、収容空間における外層と内層の下縁付近の間に充填材が設けられることにより、収容空間に乳房を支持可能な突出部が形成される。
【０００７】
請求項２に記載の考案によると、充填材は、充填物と、充填物の外側に設けられるカバー層を有し、充填物は、二枚のフィルムを高熱と高圧で周縁を封止することにより、袋体を形成し、カバー層は、耐熱性の網状シートである。
【０００８】
請求項３に記載の考案によると、外層は、弾性力を有する表面生地と熱変形可能な材質の繊維体からなる。
【０００９】
請求項４に記載の考案によると、内層は、弾性力を有する表面生地と熱変形可能な材質の繊維体からなり、該内層の繊維体と外層の繊維体が互いに粘着される。
【００１０】
請求項５に記載の考案によると、前記充填物に油脂が充填される。
【００１１】
請求項６に記載の考案によると、前記充填物に気体が充填される。
【００１２】
請求項７に記載の考案によると、前記充填物にゲルが充填される。
【００１３】
請求項８に記載の考案によると、前記カバー層は、該充填物と外層との間に設けられる。
【００１４】
請求項９に記載の考案によると、前記カバー層は、該充填物と内層との間に設けられる。
【００１５】
請求項１０に記載の考案によると、前記カバー層は、該充填物を完全に包覆する。
【考案の効果】
【００１６】
本考案は上記の課題を解決するものであり、熱圧成形で外層と内層を湾曲状に一体化させることにより、乳房を収容可能な収容空間が形成され、該収容空間における外層と内層の下縁付近の間に充填材が設けられることにより、該収容空間に乳房を支持可能な突出部が形成されることができるので、乳房をアップしながら集中する効果を達成できる。
【図面の簡単な説明】
【００１７】
【図１】本考案の一実施形態のブラジャーのカップを示す斜視図である。
【図２】本考案の一実施形態のブラジャーのカップを示す断面図である。
【図３】本考案の一実施形態のブラジャーのカップを示す分解斜視図である。
【考案を実施するための形態】
【００１８】
以下、添付図面を参照して本考案の好適な実施形態を詳細に説明する。尚、下記実施形態は、本考案の好適な実施形態を示したものにすぎず、本考案の技術的範囲は、下記実施形態そのものに何ら限定されるものではない。
【００１９】
（一実施形態）
図１及び図２に示すように、本考案の一実施形態に係わる優れた支持効果を有するブラジャーのカップは、外層１と内層２を備え、熱圧成形で外層１と内層２を湾曲状に一体化させることにより、乳房を収容可能な収容空間３が形成される。又、該収容空間３における外層１と内層２の下縁付近の間に充填材４が設けられることにより、該収容空間３に乳房を支持可能な突出部が形成されることができる。
【００２０】
図２に示すように、前記外層１と内層２は、弾性力を有する表面生地１１、２１と熱変形可能な材質の繊維体１２、２２（例えば発泡スポンジやコットン）からなる。該内層２の繊維体２２と外層１の繊維体１２が互いに粘着され、熱圧粘着で外層１と内層２を一体化とさせる。
【００２１】
図２及び図３に示すように、前記外層１と内層２との間における充填材４は、充填物４１と該充填物４１の外側に設けられるカバー層４２を有する。
【００２２】
該充填物４１は、二枚のフィルムを高熱と高圧で周縁を封止することにより、袋体を形成し、該袋体の内部に油脂や液体や気体やゲルなどのものを充填することにより、該袋体を膨張させる。
【００２３】
該カバー層４２は、耐熱性の網状シートであり、このカバー層４２の設置により、高熱で充填物４１の変形を防止できるので、製品の良品率を向上することができる。又、本実施例のカバー層４２は、該充填物４１と外層１との間に設けられるが、該充填物４１と内層２との間に設けられてもよく、又は該充填物４１を完全に包覆してもよい。
【００２４】
前記充填物４１のフィルムは、樹脂、シリコン、ゴム又はポリマーなどの高分子のプラスチック材質からなることができる。
【産業上の利用可能性】
【００２５】
本考案は上記の構成を有し、熱圧成形で外層と内層を湾曲状に一体化させることにより、乳房を収容可能な収容空間が形成され、該収容空間における外層と内層の下縁付近の間に充填材が設けられることにより、該収容空間に乳房を支持可能な突出部が形成されることができるので、乳房をアップしながら集中する効果を達成できる。
【符号の説明】
【００２６】
１：外層、２：内層、３：収容空間、４：充填材、１１：表面生地１２：繊維体、２１：表面生地、２２：繊維体、４１：充填物、４２：カバー層
【図１】
0003151734.tif 000003
【図２】
0003151734.tif 000004
【図３】
0003151734.tif 000005